(57)【要約】【課題】  物干しアームの取り付け作業が容易でかつ製造コストも低く抑えられる室内用物干し装置を提供する。【解決手段】  本発明は、室内壁面又は窓枠２の室内側面に取り付け可能な取付ベース４と、取付ベース４に片持ち状に着脱可能な物干しアーム５とを備えた室内用物干し装置１に関する。取付ベース４は、第１被係合部６とこの下方に位置する第２被係合部７とを有し、物干しアーム５は、第１被係合部６に係合する第１係合部１５と、第２被係合部７に係合する第２係合部１６とを基端部に有する。また、第２係合部１６は、第１係合部１５を第１被係合部６に係合させつつ物干しアーム５を下方揺動させることにより、取付ベース４に当接した先端部が下方に弾性変形して第２被係合部７に係合するバネ部材で構成されている。【選択図】図１
2011255140.tif 000002
【特許請求の範囲】
【請求項１】
室内壁面又は窓枠の室内側面に取り付け可能な取付ベースと、
前記取付ベースに片持ち状に着脱可能な物干しアームとを備え、
前記取付ベースは、第１被係合部とこの下方に位置する第２被係合部とを有し、
前記物干しアームは、前記第１被係合部に係合する第１係合部と、前記第２被係合部に係合する第２係合部とを基端部に有し、
前記第２係合部は、前記第１係合部を前記第１被係合部に係合させつつ前記物干しアームを下方揺動させることにより、前記取付ベースに当接した先端部が下方に弾性変形して前記第２被係合部に係合するバネ部材よりなることを特徴とする室内用物干し装置。
【請求項２】
前記バネ部材は、前記物干しアームを強制的に上方揺動させることにより、前記第２被係合部に対する係合を人力で解除可能な程度の弾性を有する請求項１に記載の室内用物干し装置。
【請求項３】
前記バネ部材の下面側を全面的に被覆する被覆プレートを更に備えている請求項１又は２に記載の室内用物干し装置。
【請求項４】
前記物干しアームは、前記窓枠の室内側突出量よりも小さい幅寸法を有する請求項１〜３のいずれか１項に記載の室内用物干し装置。
【発明の詳細な説明】
【技術分野】
【０００１】  本発明は、物干しアームの着脱が容易な室内用物干し装置に関するものである。
【背景技術】
【０００２】  従来、上記室内用物干し装置として、例えば特許文献１に記載のものが知られている。
この室内用物干し装置は、窓枠への取り付けが可能な取付ベースと、この取付ベースに片持ち状に着脱自在に取り付け可能な物干しアームとを備えており、取付ベースから突設した支柱部材に物干しアームの基端部を回動自在に連結することにより、取付ベースを水平方向に揺動自在に支持できるようになっている。【０００３】  また、ベランダ用物干し装置として、例えば特許文献２に記載のものも知られている。
このベランダ用物干し装置は、ベランダの壁上部に取り付け可能なアタッチメント部と、このアタッチメント部から片持ち状に取り付けられる物干しアームとを備えており、アタッチメント部と物干しアームの基端部とのにベランダの壁上部を挟み込むようにして、壁厚さが異なるベランダの壁上部に対しても取り付け可能となっている。
【先行技術文献】
【特許文献】
【０００４】
【特許文献１】  特開平９−２１５８９７号公報
【特許文献２】  特開２００３−１３５８９８号公報
【発明の概要】
【発明が解決しようとする課題】
【０００５】  上記特許文献１に記載の物干し装置では、取付ベースから突設した支柱部材に物干しアームの基端部を回動自在に連結しているので、物干しアームに繰り返し作用する荷重によってその基端部の回動部分が摩耗し易く、長期の使用に耐え難いという欠点がある。
一方、上記特許文献２に記載の物干し装置では、上記の欠点は生じないが、アタッチメント部の構造及び調整方法が複雑であるため、製造コストが高くなるとともに、物干しアームの取り付け作業が煩雑であるという欠点がある。【０００６】  本発明は、かかる従来の問題点に鑑み、物干しアームの取り付け作業が容易でかつ製造コストも低く抑えられる室内用物干し装置を提供することを目的とする。
【課題を解決するための手段】
【０００７】  本発明は、室内壁面又は窓枠の室内側面に取り付け可能な取付ベースと、前記取付ベースに片持ち状に着脱可能な物干しアームとを備え、前記取付ベースは、第１被係合部とこの下方に位置する第２被係合部とを有し、前記物干しアームは、前記第１被係合部に係合する第１係合部と、前記第２被係合部に係合する第２係合部とを基端部に有し、前記第２係合部は、前記第１係合部を前記第１被係合部に係合させつつ前記物干しアームを下方揺動させることにより、前記取付ベースに当接した先端部が下方に弾性変形して前記第２被係合部に係合するバネ部材よりなることを特徴とする。【０００８】  本発明によれば、第２係合部が、第１係合部を第１被係合部に係合させつつ物干しアームを下方揺動させることで、取付ベースに当接した先端部が下方に弾性変形して第２被係合部に係合するバネ部材よりなるので、ユーザは、第１係合部を第１被係合部に係合させて物干しアームを下方揺動させるだけで、物干しアームを取付ベースに取り付けることができ、物干しアームの取り付け作業が容易である。【０００９】  また、本発明によれば、取付ベースに第１及び第２被係合部を設け、これらにそれぞれ係合する第１及び第２係合部を物干しアームの基端部に設ける非常に簡便な着脱構造を採用しているので、従来製品（特に特許文献２）に比べて製造コストを低く抑えることができる。【００１０】  本発明において、前記バネ部材は、前記物干しアームを強制的に上方揺動させることにより、前記第２被係合部に対する係合を人力で解除可能な程度の弾性を有することが好ましい。
この場合、ユーザは、取付状態にある物干しアームを強制的に上方揺動させるだけで、物干しアームを取付ベースから取り外すことができ、物干しアームの取り外し作業が容易である。【００１１】  また、本発明において、前記バネ部材の下面側を全面的に被覆する被覆プレートを更に備えていることが好ましい。
この場合、被覆プレートがバネ部材の下面側を全面的に被覆するので、バネ部材の鋭利な縁部にユーザの手指が接触することがなく、安全性に優れた室内用物干し装置が得られる。【００１２】  更に、本発明において、前記物干しアームは、前記窓枠の室内側突出量よりも小さい幅寸法を有することが好ましい。
この場合、取付ベースから取り外した物干しアームを窓枠の上面に仮置きしておくことができ、ユーザが物干しアームの収納場所に困惑するのを防止することができる。
【発明の効果】
【００１３】  本発明によれば、取付ベース側の第１及び第２被係合部に物干しアームの基端部側の第１及び第２係合部を係合する着脱構造とし、第１係合部を第１被係合部に係合させつつ物干しアームを下方揺動させると、取付ベースに当接した先端部が下方に弾性変形して第２被係合部に係合するバネ部材よりなる第２係合部を採用したので、物干しアームの取り付け作業が容易であるとともに、室内用物干し装置の製造コストも低く抑えられるという利点がある。
【図面の簡単な説明】
【００１４】
【図１】  物干しアームの取り付け状態を示す、室内用物干し装置の斜視図である。
【図２】  同室内用物干し装置の側面図である。
【図３】  物干しアームの取り付け方法を示すための、室内用物干し装置の基端部分の拡大断面図である。
【発明を実施するための形態】
【００１５】  〔室内用物干し装置の全体構造〕
図１及び図２に示すように、本発明の実施形態に係る室内用物干し装置（以下、「物干し装置」と略記する。）１は、窓枠２の屋内側の上枠部３に取り付け可能な取付ベース４と、この取付ベース４に方持ち状に着脱可能な物干しアーム５とを備えており、この方持ち状に固定されたアーム５に対して、物干し竿やハンガー等（図示せず）の物干し用具をの引っ掛けて使用するものである。
【００１６】  〔取付ベース〕
取付ベース５は、屋内側から見てほぼ長方形状を呈する金属製のブロック体よりなり、上枠部３の上面に当接する位置決めリブ６を背面側に一体に有する。
図３に示すように、取付ベース５の上端部には第１被係合部６が設けられている。この第１被係合部６は、取付ベース５の上端部の背面側コーナー縁を断面ほぼＬ型に切り欠いた形状に形成されている。また、取付ベース５のほぼ中央部には、表裏方向に貫通する貫通スリット８が形成されている。
【００１７】  上記貫通スリット５は、その深さ方向中途部から背面側に向かって上方に傾斜するように拡幅され、このスリットの拡幅部分が第２被係合部７となっている。従って、第２被係合部７は、第１被係合部６の下方に位置している。
【００１８】  〔物干しアーム〕
一方、物干しアーム５は、前後方向に長いほぼ短冊状を呈する金属製の厚板材よりなるアーム本体９と、このアーム本体９の基端部に一体に設けられた補強支持部１０とから構成されている。
上記アーム本体９の先端部には、物干し竿が丁度嵌り込むほぼ半円形のフック部１１が形成され、アーム本体９の上縁部には、ロープや金属線材を引っ掛けるのに適した引っ掛け凹部１１が等間隔おきに複数（図例では３つ）形成されている。
【００１９】  補強支持部１０は、アーム本体９の基端部から幅方向両側に突出する、側面視ほぼＬ型のブロック状に形成されており、取付ベース４の正面に面接触してガタつきを防止するための当接面部１３（図３参照）を背面側に一体に有している。
図２及び図３に示すように、補強支持部１０の上端部には、前記第１被係合部６に係合可能な第１係合部１５が設けられている。この第１係合部１５は、補強支持部１０の上端部からいったん屋外側に延び、そこから下方に垂下する鉤型に形成されており、その垂下部分が第１被係合部６に丁度嵌り込む形状となっている。
【００２０】  また、補強支持部１０の下端部には、前記第２被係合部７に係合可能な第２係合部１６が設けられている。本実施形態の第２係合部１６は、補強支持部１０の下面に固着されたバネ部材よりなり、このバネ部材は、先端部が補強支持部１０の背面側から突出する板バネよりなる。
上記板バネの先端部は、上方に盛り上がる状態でほぼへの字状に屈曲形成されており、この屈曲部分は、第２被係合部７の傾斜面にほぼ適合する屈曲角度になっている。
【００２１】  従って、上記板バネよりなる第２係合部１６は、第１係合部１５を第１被係合部６に係合させつつ物干しアーム５を下方揺動させると、取付ベース４に当接した第２係合部１６の先端部が下方に弾性変形し、先端部の屈曲部分が第２被係合部７に係合するようになっている。
なお、第２係合部１６を構成する板バネは、物干しアーム５を強制的に上方揺動させると、第２被係合部７に対する係合を人力で解除可能な程度の弾性を有している。
【００２２】  また、図３に示すように、物干しアーム５は、板バネよりなる第２係合部１６の下面側を全面的に被覆する被覆プレート１７を更に備えており、これにより、板バネの鋭利な縁部にユーザの手指が接触するのを防止して、安全性に優れた物干し装置１となるように配慮されている。
【００２３】  更に、物干しアーム５の幅寸法は、窓枠２の室内側突出量Ｗ（図３参照）よりも小さい寸法に設定されており、このため、取付ベース４から取り外した後の物干しアーム５を窓枠２の上枠部３の上面に仮置きしておくことができる。
従って、ユーザが、取付ベース４から取り外した後の物干しアーム５の収納場所に困ることがなく、この点で非常に使い勝手のよい物干し装置１となっている。
【００２４】  〔物干しアームの着脱方法とその効果〕
上記構成にかかる物干し装置１を使用するには、図３に示すように、まず、取付ベース４をねじ止め等によって窓枠２の上枠部３に予め取り付けておく。
そして、図３に実線で示すように、物干しアーム５の第１係合部１５を取付ベース４の第１被係合部６に上から引っ掛け、その引っ掛け状態を維持しつつ物干しアーム５を下方揺動させる。
【００２５】  すると、取付ベース４の正面に当接した第２係合部（板バネ）１６の先端部が下方に弾性変形して貫通スリット８の内部に入り込み、その後、当接面部１３が取付ベース４の正面に当接すると同時に、第２係合部（板バネ）１６の屈曲部分が第２被係合部７に係合することなる。これにより、図３に仮想線で示すように、物干しアーム５が屋内側に向かって水平に延びた方持ち状態で取付ベース４に支持される。
【００２６】  なお、物干しアーム５を取付ベース４から取り外す場合には、上記とは逆に、物干しアーム５を人力で強制的に上方揺動させ、第２被係合部７に対する第２係合部１６の係合を解除し、その後、物干しアーム５を全体的に持ち上げて、第１係合部１５を第１被係合部６から離脱させればよい。
【００２７】  上記の通り、本実施形態の物干し装置１によれば、第２係合部１６が、第１係合部１５を第１被係合部６に係合させつつ物干しアーム５を下方揺動させると、取付ベース４に当接した先端部が下方に弾性変形して第２被係合部７に係合するバネ部材よりなるので、ユーザは、第１係合部１５を第１被係合部６に係合させて物干しアーム５を下方揺動させるだけで、物干しアーム５を取付ベース４にワンタッチで取り付けることができ、物干しアーム５の取り付け作業が極めて簡便である。
【００２８】  また、本実施形態の物干し装置１によれば、取付ベース５に設けた第１及び第２被係合部６，７にそれぞれ係合する第１及び第２係合部１５，１６を、物干しアーム５の基端部に設けるという非常に簡易な着脱構造を採用しているので、従来品（例えば、前記特許文献２）に比べて製造コストを低減できるという利点もある。
【００２９】  なお、本発明は上記実施形態に限定されるものではない。例えば、上記実施形態では、第２係合部１６を板バネで構成しているが、第２被係合部７に対する係脱の際に弾性変形するものであれば、特に板状のものに限定されるものではなく、例えば棒状のバネ部材であってもよい。
また、上記実施形態では、取付ベース４を窓枠２の上枠部３に取り付けているが、取付ベース４を室内壁面に取り付けるようにしてもよい。
【符号の説明】
【００３０】  １：室内用物干し装置    ２：窓枠    ４：取付ベース    ５：物干しアーム
６：第１被係合部    ７：第２被係合部    １５：第１係合部    １６：第２係合部
１７：被覆プレート
【図１】
2011255140.tif 000003
【図２】
2011255140.tif 000004
【図３】
2011255140.tif 000005